(57)【特許請求の範囲】
【請求項１】
モーター軸端に取り付けた回転胴を備え、該回転胴に放射状に配した複数枚の回転羽根を備え、該回転羽根の基部端面を回転胴内に向け露出せしめ、該露出基部端面を該回転胴内に配した光源で照射して回転羽根内に透光せしめ同羽根を発光せしめるようにした発光形扇風機において、上記回転胴を前胴と後胴に分割し、該前胴周壁又は後胴周壁の一方の突き合わせ面に凹部と凸部とを周方向に間隔を置いて交互に設けると共に、同他方の突き合わせ面に凸部と凹部とを周方向に間隔を置いて交互に設け、該一方の凹部と他方の凸部及び一方の凸部と他方の凹部を嵌合して、上記回転羽根の基部を挟持する凹凸部と回転羽根の基部を挟持しない凹凸部とを交互に形成し、回転羽根の基部を挟持しない凹凸部を直接突き合わせ、該突き合わせにより回転羽根の基部を挟持する凹凸部間に羽根挟持溝を画成して、回転羽根の基部を該羽根挟持溝を介して凹部底面と凸部頂面間に挟持する一方、回転羽根の基部に設けたほぞ穴（又はほぞピン）に該凹凸部の一方に設けたほぞピン（又はほぞ穴）を係入し、回転羽根の基部を挟持しない凹凸部を螺子締めにて分解可能に組み立てると共に、該螺子締めにて上記挟持力を得、且つ、上記回転羽根の基部を嵌合する凹部の内側面を内方へ向け拡大する台形形状となすと共に、該凹部に嵌合する回転羽根の基部の側面を該凹部と同調する内方へ向け拡大する台形形状となし、更に、上記凸部及び凹部の周方向両側に軸方向に延びる側面を形成し、上記回転羽根の基部を挟持する凹部の内部開口面において回転羽根の基部端面を回転胴内に向け露出し上記光源で照射する構成としたことを特徴とする発光形扇風機。
【発明の詳細な説明】
【技術分野】
【０００１】
本発明は回転羽根を支持する回転胴内に配した光源で該回転羽根を発光せしめるようにした発光形扇風機に関する。
【背景技術】
【０００２】
特許文献１はモーター軸端に取り付けた回転胴を備え、該回転胴に放射状に配した複数枚の回転羽根を備えた扇風機において、該回転羽根の基部端面を回転胴内に露出せしめ、該露出基部端面を該回転胴内に配した光源で照射して回転羽根内に透光せしめ同羽根を発光せしめるようにした発光形扇風機を開示している。
【０００３】
通常、上記回転羽根と回転胴とは合成樹脂にて一体成形して形成するところ、上記特許文献１においては上記回転羽根の発光効果を有効に発揮せしめるため、上記回転胴の周壁に回転羽根の基部を貫装して同基部端面を回転胴内に向け露出し、該露出基部端面を上記光源で照射し上記透光状態を得る構成を採っている。
【０００４】
【特許文献１】特開２００４−１４４０６５号公報
【発明の開示】
【発明が解決しようとする課題】
【０００５】
而して上記先行例における回転胴の周壁に回転羽根の基部を貫装する方法では、羽根と羽根貫装穴の製作誤差等により羽根の取り付けが困難となる恐れを有するばかりか、回転羽根のガタツキの発生を禁じ得ず、接着剤を用いても回転羽根を回転胴に強固に取り付け難い。
【０００６】
又発光態様や発光表示態様が異なる回転羽根への変換に有効に対処できない問題点を有している。
【課題を解決するための手段】
【０００７】
本発明は上記回転胴を前胴と後胴に分割し、該前胴周壁又は後胴周壁の一方の突き合わせ面に凹部と凸部とを周方向に間隔を置いて交互に設けると共に、同他方の突き合わせ面に凸部と凹部とを周方向に間隔を置いて交互に設け、該一方の凹部と他方の凸部及び一方の凸部と他方の凹部を嵌合して、上記回転羽根の基部を挟持する凹凸部と回転羽根の基部を挟持しない凹凸部とを交互に形成し、回転羽根の基部を挟持しない凹凸部を直接突き合わせ、該突き合わせにより回転羽根の基部を挟持する凹凸部間に羽根挟持溝を画成して、回転羽根の基部を該羽根挟持溝を介して凹部底面と凸部頂面間に挟持する一方、回転羽根の基部に設けたほぞ穴（又はほぞピン）に該凹凸部の一方に設けたほぞピン（又はほぞ穴）を係入し、回転羽根の基部を挟持しない凹凸部を螺子締めにて分解可能に組み立てると共に、該螺子締めにて上記挟持力を得、且つ、上記回転羽根の基部を嵌合する凹部の内側面を内方へ向け拡大する台形形状となすと共に、該凹部に嵌合する回転羽根の基部の側面を該凹部と同調する内方へ向け拡大する台形形状となし、更に、上記凸部及び凹部の周方向両側に軸方向に延びる側面を形成し、上記回転羽根の基部を挟持する凹部の内部開口面において回転羽根の基部端面を回転胴内に向け露出し上記光源で照射する構成として、回転羽根の発光を得るようにした発光形扇風機を提供する。
【発明の効果】
【００１２】
本発明によれば、上記凹部に回転羽根の基部を嵌合し前胴周壁と後胴周壁を突き合わせて同羽根基部を挟持することによって、回転羽根の基部端面を回転胴内に向け露出状態にして光源による照射状態を形成する組み立てが容易に行える。
【００１３】
又回転羽根の基部を前胴周壁と後胴周壁で挟持するに際し、両胴周壁の突き合わせ面においてほぞ結合する構造や、前胴と後胴を螺子にて締結する構造が容易に採用でき、回転羽根を回転胴に強固且つ安定に取り付けつつ、上記露出照射目的を有効に達成することができる。
【００１４】
前記先行例の回転羽根基部を回転胴の周壁に貫装する場合における、羽根のガタツキや組み立て不良を有効に防止でき、羽根の発光態様や発光表示態様の変換に有効に対処できる。
【発明を実施するための最良の形態】
【００１５】
以下本発明を実施するための最良の形態を図１乃至図８に基づき説明する。
本発明はモーター軸１端に取り付けた回転胴２を備え、該回転胴２に放射状に配した複数枚の回転羽根３を備え、該回転羽根３の基部４の端面５を回転胴２内に向け露出せしめ、該露出基部４の端面５を該回転胴２内に配した光源６で照射して回転羽根３内に透光せしめ同羽根３を発光せしめるようにした発光形扇風機の改善に係る。
【００１６】
要述すると図１乃至図７に示すように、上記回転胴２を前胴７と後胴８に分割し、該前胴周壁９と後胴周壁１０の突き合わせ部に突き合わせ面１１で開放する凹部１２を設け、該凹部１２内に回転羽根３の基部４を嵌合しつつ該前胴周壁９と後胴周壁１０間に挟持し、上記凹部１２の内部開口面（回転胴２内へ向けた開口面）において上記回転羽根３の基部４の端面５を回転胴２内に向け露出し上記光源６で照射する構成として回転羽根３の発光を得るようにしたものである。
【００１７】
上記露出とは端面５を回転胴２内に僅かに突出させ露出する場合と、端面５を回転胴２の内周面と同一面となるように露出させる場合と、端面５を凹部１２内に入った位置で露出させる場合を含む。
【００１８】
上記光源６としては発光ダイオード、好ましい例示として光の三原色である赤発光ダイオードと緑発光ダイオードと青発光ダイオードを併用する。
【００１９】
又上記凹部１２内において回転羽根３の基部４に設けたほぞ穴１６（又はほぞピン１７）に前胴７と後胴８の一方に設けたほぞピン１７（又はほぞ穴１６）を係入し位置決めすると共に、羽根３の抜去を阻止する構成とする。
【００２０】
又上記前胴７と後胴８を突き合わせ面１１において接着剤により一体構造とするか、好ましくは両者を螺子１８締めにて分解可に組み立て、該螺子締めにて上記挟持力を得る構成とする。又螺子締めしつつ接着剤で一体構造にすることを妨げない。
【００２１】
上記回転羽根３の挟持態様として図２Ａに示すように、上記前胴周壁９又は後胴周壁１０の突き合わせ部に突き合わせ面（分割面）１１で開放された凹部１２を設け、該凹部１２内に回転羽根３の基部４を嵌合し凹部内側面にて規制しつつ前胴周壁９と後胴周壁１０間に挟持する。
【００２２】
例えば後胴周壁１０の突き合わせ部に上記凹部１２を設け、該凹部１２内に嵌合された回転羽根３の基部４を前胴周壁９の突き合わせ面１１と後胴周壁１０の凹部底面１４間に挟持しつつ凹部内側面にて規制する。
【００２３】
又は前胴周壁９の突き合わせ部に上記凹部１２を設け、該凹部１２内に回転羽根３の基部４を嵌合し凹部内側面にて規制しつつ、後胴周壁１０の突き合わせ面１１と前胴周壁１０の凹部底面１４間に挟持する。
【００２４】
又は上記回転羽根３の他の挟持態様として図２Ｂに示すように、上記前胴周壁９と後胴周壁１０の突き合わせ部に突き合わせ面１１で開放された凹部１２を該開放面で互いに連通するように正対して設け、該両凹部１２内に回転羽根３の基部４を嵌合し凹部内側面にて規制しつつ前胴周壁９と後胴周壁１０間に挟持する。
【００２５】
即ち上記両凹部１２内に嵌合された回転羽根３の基部４の表裏面を両凹部１２の底面１４間に挟持する。
【００２６】
又は上記回転羽根３の他の挟持態様として図２Ｃに示すように、上記前胴周壁９又は後胴周壁１０の一方の突き合わせ面１１に凹部１２を設け、同他方の突き合わせ面１１に凸部１３を設け、該凹部１２内に回転羽根３の基部４を嵌合して該凹部内側面にて規制しつつ、該凹部１２内に凸部１３を嵌合し、該凸部頂面１５と該凹部底面１４間に上記回転羽根３の基部４の表裏面を挟持する構成とする。
【００２７】
図１乃至図７は上記図２Ｃに示す回転羽根３の挟持態様を採用した発光形扇風機を具体例として示している。以下詳述する。
【００２８】
図３に示すように、回転胴２を前胴７と後胴８に二分割し、前胴周壁９の突き合わせ面（分割面）１１に凹部１２と凸部１３を周方向に間隔を置いて交互に設け、同様に後胴周壁１０の突き合わせ面（分割面）１１に凹部１２と凸部１３を周方向に間隔を置いて交互に設ける。
【００２９】
図４の展開図に示すように、前胴７の凹部１２及び凸部１３と、後胴８の凹部１２及び凸部１３とは互いに同一形状で同一配置にする。
【００３０】
例えば四枚の回転羽根３を用いる場合には、前胴周壁９の突き合わせ面１１に四個の凹部１２と四個の凸部１３を周方向に間隔を置いて交互に設け、同様に後胴周壁１０の突き合わせ面１１に四個の凹部１２と四個の凸部１３を周方向に間隔を置いて交互に設け、同様に三枚の回転羽根３を用いる場合には前胴周壁９の突き合わせ面１１に三個の凹部１２と三個の凸部１３を周方向に間隔を置いて交互に設け、同様に後胴周壁１０の突き合わせ面１１に三個の凹部１２と三個の凸部１３を周方向に間隔を置いて交互に設ける。
【００３１】
即ち一つの分割胴（前胴７又は後胴８）に対する凹部１２と凸部１３の夫々の数は、最低限使用する羽根３の枚数と同数とする。
【００３２】
そして図３Ａに示すように、一方の分割胴の凹部１２に回転羽根３の基部４を嵌合し、該羽根３を嵌合した凹部１２内に他方の分割胴の凸部１３を嵌合し、同基部４を該凹部１２の内側面にて規制しつつ、凸部頂面１５と凹部底面１４間に上記回転羽根３の基部４の表裏面を挟持する。
【００３３】
従って回転羽根３の基部４を挟持する凸部頂面１５と凹部底面１４間には回転羽根３の基部４を挟持するための羽根挟持溝１９を貫設し、羽根３を介して（羽根３の厚みを介して）突き合わせ状態にする。
【００３４】
同時に後胴８（又は前胴７）の凹部１２間に存する凸部１３を前胴７（又は後胴８）の凹部１２内に嵌合し、凸部１３の外側面を凹部１２の内側面にて規制しつつ、凸部頂面１５と凹部底面１４を突き合わ状態にする。即ち回転羽根３を挟持しない凹部底面１４と凸部頂面１５を直接突き合わせ状態にする。
【００３５】
上記の通り凹部１２と凸部１３の突き合わせ状態と、他の凹部１２と凸部１３による上記回転羽根３の挟持状態を交互に形成し、羽根３を挟持しない凹部底面１４と凸部頂面１５の突き合わせにより前記羽根挟持溝１９を画成する。
【００３６】
上記回転羽根３を挟持する凸部頂面１５と凹部底面１４及び両面１５，１４間に画成される羽根挟持溝１９は、羽根３の傾斜角に応じて前方へ向け上り傾斜、換言すると後方へ向け下り傾斜となるように傾斜せしめる。
【００３７】
図３Ｂと図４に示すように、上記の如く回転羽根３の基部４を凹部１２と凸部１３間に挟持しつつ、凹部１２内において回転羽根３の基部４に設けたほぞ穴１６（又はほぞピン１７）に前胴７と後胴８の一方に設けたほぞピン１７（又はほぞ穴１６）を係入し位置決めすると共に、羽根３の抜去を阻止する構成とする。
【００３８】
例えば回転羽根３の基部４にほぞ穴１６を設け、該基部４を挟持する凹部底面１４又は凸部頂面１５にほぞピン１７を突設し、該ほぞピン１７をほぞ穴１６に係入する。又は回転羽根３の基部４にほぞピン１７を立設し、該基部４を挟持する凹部底面１４又は凸部頂面１５にほぞ穴１６を設け、該ほぞ穴１６にほぞピン１７を係入する。
【００３９】
又上記前胴７と後胴８を突き合わせ面１１において接着剤により一体構造とするか、好ましくは両者を螺子１８締めにて分解可に一体構造にし、該螺子１８締めにて上記挟持力を得る構成とする。又螺子１８締めしつつ前胴７と後胴８と回転羽根３を接着剤を介して一体構造とすることを妨げない。即ち螺子１８締めしつつ凹部１２内面と凸部１３外面と回転羽根３の基部４外面を接着剤で一体構造にすることを妨げない。
【００４０】
螺子１８締め構造の好ましい例示として図３，図４に示すように、回転羽根３を挟持しない前胴７（又は後胴８）の凹部１２に同後胴８（又は前胴７）の凸部１３を嵌合して突き合わせつつ、該突き合わせ面１１の一方に設けた雌ねじ孔２０に後胴周壁１０の後面（又は前胴周壁９の前面）から螺子１８を差し込んで該雌ねじ孔２０に螺合し締結する。
【００４２】
上記回転羽根３の基部４を嵌合する凹部１２の内側面は内方へ拡大するように傾斜せしめる。即ち凹部１２を内方へ向け拡大する台形形状（蟻溝形状）にする。同様に回転羽根３の基部４の側面を該凹部１２と同調する形状にし、即ち基部４を内方へ向け（露出端面５へ向け）拡大する台形形状にし、該台形の基部４を台形の凹部１２に嵌合することにより、羽根３の外方への脱出を阻止する効果を付与し、上記ほぞ結合による位置決めと併用することにより脱出防止効果を向上せしめる。
【００４３】
図５Ａ，Ｂ，Ｃに示すように、上記回転羽根３の基部４は被挟持部を構成しており、該被挟持部４を台形にし、該被挟持部４に前記ほぞ穴１６又はほぞピン１７を単数又は複数設ける。又該回転羽根３の基部４の端面５、即ち被挟持部４の端面５を回転胴２の内周面と同調する凹曲面とし、該凹曲面と光源６を対向させ、端面５に対する光入射効率を高め、羽根３内への透光効率を高める。
【００４４】
又上記回転羽根３の表裏面、例えば表面（前面）には所要パターンのマスク２２を施し、羽根３内を透光した光が該表面のマスク２２により形成された所要パターンの透光面により任意の図柄、記号、文字等を発光表示できるようにする。
【００４５】
又他例として、上記回転羽根３の表面又は／及び裏面に微細な凹凸地肌（梨地地肌）から成る羽根３の厚み内へ没入する態様を以って任意の図柄、記号、文字等を表現し、該凹凸地肌において乱反射して発光表示できるようにする。
【００４６】
次に上記光源６として用いた発光ダイオードユニットについて説明する。図１，図６に示すように、発光ダイオードユニットは前後に離間して配したドーナツ形の発光ダイオード支持基板（光源支持基板）２３とドーナツ形取り付け座板２４を備え、発光ダイオード支持基板２３を取り付け座板２４に支持脚２５を以って高位に離間し支持する。
【００４７】
上記ドーナツ形発光ダイオード支持基板２３の表面に複数の発光ダイオード６を環状に配設する。例えば図７に示すように、回転羽根３の枚数に応じ複数群の発光ダイオード６群（一群が複数の発光ダイオードから成る）を、支持基板２３の周方向に離間して配置する。
【００４８】
好ましい例示として各一群の発光ダイオード６群を赤、緑、青の三個の発光ダイオードにて構成する。
【００４９】
又は図８に示すように、回転羽根３の枚数に拘わらず多数の発光ダイオード６をドーナツ形発光ダイオード支持基板２３の表面に略等間隔に環状に配設する。
【００５０】
好ましい例示として、上記赤、緑、青の三個の発光ダイオード６を同順位で環状に多数配置する。
【００５１】
上記赤、緑、青の三原色となる発光ダイオード６の使用によって、回転胴２及び回転羽根３の回転に従い、羽根３の多彩な発光を実現し、発光表示効果を高めることができる。
【００５２】
例えば回転羽根３の表面に上記所要パターンのマスク２２を施す構造と上記三原色発光ダイオード６を併用することによって、両者相俟って上記発光表示効果を更に増長することができる。
【００５３】
上記発光ダイオード支持基板２３は発光ダイオード６に電力を供給し、更に発光を制御する電気回路を構成する配線基板である。発光制御回路を構成する装置は回転胴２内、又は扇風機のスタンド内に設ける。
【００５４】
又は発光制御回路を構成する装置を扇風機からケーブルを介して独立して設けるか、又は無線で遠隔操作可能に外部に独立して設ける。
【００５５】
上記発光ダイオードユニットは図１に示すように、下位のドーナツ形取り付け座板２４を以ってモーター側に取り付けされる。
【００５６】
回転羽根３を有する回転胴２は開閉可能な後カバー２６と前カバー２７によって覆われており、上記ドーナツ形取り付け座板２４とモーター２８のケース２９間に後カバー２６の内周端を介在し共締め固定する。
【００５７】
上記モーター軸１はモーターケース２９から一体に突出する雌ねじ筒３０内を通し突出して回転胴２を支持する。該雌ねじ筒３０は後カバー２６の中心部とドーナツ形取り付け座板２４の中央孔を通し突出し、該突出端にナット３１を螺合し上記ドーナツ形取り付け座板２４と後カバー２６とをモーター軸貫通孔３２の周囲において共締めし固定する。
【００５８】
上記によってドーナツ形発光ダイオード支持基板２３に支持された発光ダイオード６を回転羽根３の露出端面５の回転軌跡上に配置する。
【００５９】
上記回転胴２の前胴７は前壁３３を有する有底筒体であり、図３Ａに示すように、該前壁３３の中心部から後方へ向け突出したボス３４と上記モーター軸１とを係合し一体に回転できるようにする。
【００６０】
例えば図示のように、ボス３４の後端面にＶ字形等の係止溝３６を設け、モーター軸１をボス３４内に貫挿しつつモーター軸１から突出した係止ピン３５を係止溝３６に係合することにより、該係止継手を介してモーター軸１と一体に前胴７と後胴８が回転できるようにする。
【００６１】
上記前胴７の前端面中央部にモーター軸１の先端を貫挿し、該貫通端にナット３７を螺合し、前胴７を後胴８に対し突き合わせ面１１において締結すると共に、モーター軸１に回転胴２を締結し一体に組み立てる。
【図面の簡単な説明】
【００６２】
【図１】本発明に係る発光形扇風機の断面図。
【図２】Ａ，Ｂ，Ｃは回転羽根を前胴と後胴間に挟持する態様を拡大視する断面図。
【図３】Ａは前胴と後胴の組立構造を示す斜視図、Ｂは前胴と後胴の突き合わせ面の凹部と凸部の配置を前胴を以って示す平面図。
【図４】上記前胴と後胴の凸部と凹部の配置例を示す展開図。
【図５】Ａは所要パターンのマスクを施した上記回転羽根の平面図、Ｂ，Ｃは同断面図。
【図６】発光ダイオードユニットの斜視図。
【図７】発光ダイオードユニットを構成する発光ダイオード支持基板に対する発光ダイオードの配置態様を示す平面図。
【図８】発光ダイオードユニットを構成する発光ダイオード支持基板に対する発光ダイオードの他の配置態様を示す平面図。
【符号の説明】
【００６３】
１…モーター軸、２…回転胴、３…回転羽根、４…基部、５…基部端面、６…光源、７…前胴、８…後胴、９…前胴周壁、１０…後胴周壁、１１…付き合わせ面、１２…凹部、１３…凸部、１４…凹部底面、１５…凸部頂面、１６…ほぞ穴、１７…ほぞピン、１８…螺子、１９…羽根挟持溝、２０…雌ねじ孔、２２…マスク、２３…発光ダイオード支持基板、２４…取り付け座板、２５…支持脚、２６…後カバー、２７…前カバー、２８…モーター、２９…ケース、３０…雌ねじ筒、３１…ナット、３２…モーター軸貫通孔、３３…前胴の前壁、３４…ボス、３５…係止ピン、３６…係止溝、３７…ナット。
【図１】
0005007862.tif 000002
【図２】
0005007862.tif 000003
【図３】
0005007862.tif 000004
【図４】
0005007862.tif 000005
【図５】
0005007862.tif 000006
【図６】
0005007862.tif 000007
【図７】
0005007862.tif 000008
【図８】
0005007862.tif 000009